(57)【要約】【課題】本発明は、構成簡易にして、対物レンズを効率よく清浄できるようにすることにある。【解決手段】クリーニング部２３は、マイクロプレート１２の枠２５の内側で、底面１８のウエル２４の底面に対応する位置に設けられている。液浸対物レンズ１１上にクリーニング部２３が配置されたり、液浸対物レンズ１１上をクリーニング部２３が通過したりして、液浸対物レンズ１１がクリーニング部２３に接すると液浸対物レンズ１１が清浄される。【選択図】図３
2004317661.tif 000002
【特許請求の範囲】
【請求項１】
試料が収容可能な複数のウエルを有するマイクロプレートにおいて、
マイクロプレートの外表面でかつ対物レンズが対向する面に、前記対物レンズ上の付着物を除去するクリーニング部材を有することを特徴とするマイクロプレート。
【請求項２】
前記クリーニング部材は前記ウエルの底面に対向する位置に設けられたことを特徴とする請求項１記載のマイクロプレート。
【請求項３】
前記マイクロプレートのうち、前記クリーニング部材が設けられた部分が、他の部分とは着脱自在に接合されることを特徴とする請求項１記載のマイクロプレート。
【請求項４】
前記クリーニング部材は、アクリル繊維を含むことを特徴とする請求項１記載のマイクロプレート。
【請求項５】
前記クリーニング部材は液体を吸着する性質を有するものであることを特徴とする請求項１記載のマイクロプレート。
【請求項６】
マイクロプレートと同様の外形を有するクリーニングプレートであって、
前記クリーニングプレートの外表面でかつ対物レンズが対向する面に、前記液浸対物レンズ上の付着物を除去するクリーニング部材を有することを特徴とするクリーニングプレート。
【請求項７】
前記クリーニング部材は液体を吸着する性質を有するものであることを特徴とする請求項６記載のクリーニングロプレート。
【請求項８】
試料に光を照射するための光源、倒立型顕微鏡、前記倒立型顕微鏡で得られた光を電気信号に変換する光電気信号変換装置、前記光電気信号変換装置で変換された電気信号に基づいて前記試料の各種特性を求めるデータ処理装置を備える光分析装置において、
前記倒立型顕微鏡を、対物レンズ、マイクロプレートを支持するステージを備えて構成し、
さらに、前記ステージを駆動するステージ駆動装置を具備し、
前記ステージ駆動装置は、前記マイクロプレートの各ウエルに収容された試料について測定を行った後に、前記ステージを、前記液浸対物レンズ上に前記マイクロプレートのクリーニング部材が配置されるように駆動することを特徴とする光分析装置。
【請求項９】
試料に光を照射するための光源、倒立型顕微鏡、前記倒立型顕微鏡で得られた光を電気信号に変換する光電気信号変換装置、前記光電気信号変換装置で変換された電気信号に基づいて前記試料の各種特性を求めるデータ処理装置を備える光分析装置において、
前記倒立型顕微鏡を、対物レンズ、マイクロプレートを支持するステージを備えて構成し、
さらに、前記対物レンズを駆動する対物レンズ駆動装置を具備し、
前記対物レンズ駆動装置は、前記対物レンズがマイクロプレートのクリーニング部材に接触するように、前記対物レンズを移動させることを特徴とする光分析装置。
【請求項１０】
前記対物レンズは液浸対物レンズであり、
前記倒立型顕微鏡は、前記液浸対物レンズ上に液体を供給する液体供給装置を有することを特徴とする請求項８又は９記載の光分析装置。
【請求項１１】
対物レンズ、およびマイクロプレートを支持するステージ、前記ステージを駆動するステージ駆動装置を有する倒立型顕微鏡において、
前記ステージ駆動装置は、前記ステージを、前記マイクロプレートの各ウエルに収容された試料について測定を行った後に、前記対物レンズ上に前記マイクロプレートのクリーニング部材が配置されるように駆動することを特徴とする倒立型顕微鏡。
【請求項１２】
前記対物レンズは液浸対物レンズであり、
前記対物レンズ上に液体を供給する液体供給装置を有することを特徴とする請求項１１記載の倒立型顕微鏡。
【発明の詳細な説明】
【０００１】
【発明の属する技術分野】
本発明はマイクロプレートとそれを用いる対物レンズを有する光分析装置および倒立型顕微鏡に係り、特に、その対物レンズを清浄するクリーニング構造に関する。
【０００２】
【従来の技術】
一般に、液浸観察を行うための液浸対物レンズを用いた倒立型顕微鏡は、その液浸対物レンズのレンズ方向に開放された液溜を設けて、この液溜に試料の液浸と同等の屈折率を持つ透明な液体を滞留させることにより、解像力を高めて、観察の信頼性を高める方法が採られている（例えば、特許文献１参照。）。そして、このような倒立型顕微鏡は、液浸観察の終了後、液浸対物レンズ上に残った水または油などの液浸用の液体をレンズペーパーなどで除去することが必要である。即ち、液浸対物レンズ上に液体が残っていると、そこに微小な塵等が付着し、液浸対物レンズの汚れの原因となり、次回の高精度な観察が困難となることにより、観察が終了すると、レンズ清浄が要求される。
【０００３】
【特許文献１】
特開平１０―１８６２３９号公報
【０００４】
【発明が解決しようとする課題】
しかしながら、上記液浸対物レンズの清浄にあっては、観察終了後、オペレーターがレンズペーパーを使って行わなければならないために、その清浄作業に多大な時間を費やすという不都合を有する。特に、マイクロプレート等を用いて試料の観察を自動化した分析装置を含む観察装置では、クリーニングの度に装置の運転を休止しなければならないために、そのクリーニングに費やす時間が長く、観察の効率が低下されるという問題を有する。
【０００５】
本発明は、上記の事情に鑑みてなされたもので、簡易な構成で、液浸対物レンズを効率よく清浄できるようにしたマイクロプレート、クリーニングプレート、光分析装置および倒立型顕微鏡を提供することを目的とする。
【０００６】
【課題を解決する手段】
本願発明は、マイクロプレートの外表面でかつ対物レンズが対向する面に、すなわちマイクロプレートの底面に対物レンズ上の付着物を除去するクリーニング部材を設けて構成した。これによれば、対物レンズがクリーニング部材に接触するときに、対物レンズ上の付着物を除去することができる。クリーニング部材はアクリル線維などがよく、水、油などの液体や、紛などの固体を吸着するものであれば、対物レンズをより清浄化できる。特に、液浸対物レンズの清浄化に適用すれば、液浸対物レンズ上の液体を除去でき、液浸対物レンズが汚れるのを防止できる。
【０００７】
また、本発明は、クリーニング部材をウエルの底面に対向する位置に設けて構成した。これによれば、クリーニング部材が設けられたウエルが観察位置となるようにマイクロプレートを移動させれば、対物レンズを清浄することができる。
【０００８】
また、本発明は、クリーニング部材が設けられた部分を、他の部分とは着脱自在に接合させて構成した。これによれば、クリーニング部材が設けられた部分を、マイクロプレートの本体から取り外すことができるので、クリーニング部材の清浄能力が低下した場合に、クリーニング部材が設けられた部分を交換することによって、マイクロプレートの本体を再使用することができる。
【０００９】
また、本発明は、マイクロプレートと同様の外形を有するプレートの底面にクリーニング部材を設けて構成した。このプレートを対物レンズのクリーニング専用プレートとして用いることができる。
【００１０】
また、本発明は、光分析装置がステージを駆動するステージ駆動装置を有し、クリーニング部材を有するマイクロプレートを用いて対物レンズを清浄する際に、対物レンズ上にクリーニング部材が配置されるように、ステージ駆動装置がステージを駆動するように構成した。これによれば、マイクロプレートを取り出さずに対物レンズ上の付着物を除去できるので、精度良く、連続した測定を行うことができる。液浸対物レンズを用いる分析装置の場合も、マイクロプレートを取り出さずに液浸対物レンズ上の液体が除去され、対物レンズの汚れを防止できるので、精度良く観察を行うことができる。また、オペレーターがレンズペーパーを使って清浄する場合よりも短い時間で容易に対物レンズを清浄できる。特にマイクロプレートの供給を自動化した観察装置では、装置の運転を休止する時間が短くなるので、光分析を短時間で行うことができる。
【００１１】
また、本発明は、光分析装置が対物レンズを駆動する対物レンズ駆動装置を有し、クリーニング部材を有するマイクロプレートを用いて対物レンズを清浄する際に、対物レンズ駆動装置は、対物レンズがマイクロプレートのクリーニング部材に接触するように、前記対物レンズを移動させるように構成した。これによれば、マイクロプレートを取り出さずに対物レンズ上の付着物を除去できるので、精度良く、連続した測定を行うことができる。液浸対物レンズを用いる分析装置の場合も、マイクロプレートを取り出さずに液浸対物レンズ上の液体が除去され、対物レンズの汚れを防止できるので、精度良く観察を行うことができる。また、オペレーターがレンズペーパーを使って清浄する場合よりも短い時間で容易に対物レンズを清浄できる。特に光分析を自動化した観察装置では、装置の運転を休止する時間が短くなるので、光分析を短時間で行うことができる。
【００１２】
また、本発明は、倒立型顕微鏡がステージを駆動するステージ駆動装置を有し、クリーニング部材を有するマイクロプレートを用いて対物レンズを清浄する際に、対物レンズ上にクリーニング部材が配置されるように、ステージ駆動装置がステージを駆動するように構成した。これによれば、マイクロプレートを取り出さずに対物レンズ上の付着物を除去できるので、精度良く、連続した観察を行うことができる。液浸対物レンズを用いる倒立型顕微鏡の場合も、マイクロプレートを取り出さずに液浸対物レンズ上の液体が除去され、対物レンズの汚れを防止できるので、精度良く観察を行うことができる。また、オペレーターがレンズペーパーを使って清浄する場合よりも短い時間で容易に対物レンズを清浄できる。
【００１３】
【発明の実施の様態】
以下、この発明の実施の形態について、図面を参照して詳細に説明する。
【００１４】
（第１の実施の形態）
図１は、本発明の第１の実施の形態に係る光分析装置を示すもので、共焦点光学系を用いた倒立型顕微鏡１、電気信号変換手段である光電気信号変換部２、光電気信号変換部２で求めた測定データに基づいて試料の特性を求めるデータ処理手段であるデータ処理部３および求めた測定データに基づいて試料の各種特性を表示する表示装置４、例えばレーザー光発生装置で構成される光源５が設けられる。
【００１５】
なお、上記光電気信号変換部２は、例えばフォトマルチプライヤやアバランシェフォトダイオードで構成され、上記倒立型顕微鏡１で取得した蛍光標識された試料が発する蛍光を、電気信号に変換する。
【００１６】
上記倒立型顕微鏡１は、液浸対物レンズ１１、マイクロプレート１２を支持するステージ１３、液浸対物レンズ１１とマイクロプレート１２との間に液体を供給する液体供給装置１４、ステージ１３をＸ−Ｙ方向に駆動するステージ駆動装置１５、光源５で発生した光を液浸対物レンズ１１に導く光経路１６、および液浸対物レンズ１１で得られた光を光電気信号変換部２に導く光経路１７を有する。
【００１７】
上記液体供給装置１４には、図２に示すようにマイクロプレート１２の底面１８と液浸対物レンズ１１との間に液体２６を供給するための供給ノズル１９、および供給される液体２６の量を調整する液量調整装置２０が設けられる。駆動するステージ駆動装置１５は、ステージをＸ−Ｙ方向へ移動させる移動装置２１、および移動装置２１の駆動を制御する駆動制御装置２２を有する。
【００１８】
また、液浸対物レンズ１１の上方には、マイクロプレート１２が配置される。このマイクロプレート１２は、容器支持部材であるステージ１３に支持されて、液浸対物レンズ１１の上方に配置される。液浸対物レンズ１１の近傍には供給ノズル１９が配置され、供給ノズル１９には液量調整装置２０が接続されている。ここで、上記マイクロプレート１２の構成について、図３を参照して説明する。なお、図３（ａ）は、裏面から見た状態を示し、同図（ｂ）は、（ａ）のＡ―Ａを断面して示す。
【００１９】
上記マイクロプレート１２は、一方面に試料を収容する複数のウエルと称する凹部２４が配され、例えば光源５からの光が透過されるものが好ましい。そして、このマイクロプレート１２の底面１８には、クリーニング部２３が設けられる。このクリーニング部２３は、マイクロプレート１２の底面１８より０．１ｍｍから１ｍｍの高さで隆起しており、水、油、紛などを吸着する。
【００２０】
例えば、クリーニング部２３はマイクロプレート１２の枠２５の内側で、底面１８の凹部２４の底面に対応する位置に設けられている。液浸対物レンズ１１上にクリーニング部２３が配置されたり、液浸対物レンズ１１上をクリーニング部２３が通過したりして、液浸対物レンズ１１がクリーニング部２３に接すると液浸対物レンズ１１が清浄される。
【００２１】
また、上記クリーニング部２３は、水、油、紛などを吸着する材料でシート状に形成したものを、底面１８より０．１ｍｍから１ｍｍの高さで隆起するように、底面１８に接着して配するようにしてもよい。
【００２２】
上記水、油、紛などを吸着する材料としては、超多孔質アクリル繊維や超極細アクリル繊維を用いたレンズペーパーと呼ばれる素材などがよい。例えば、アサクラ株式会社製スパークロスＡＳ−２５（旭化成株式会社製アクリル極細繊維ＳＨＲＬＥＲＩＡ／Ｃ１０２５を使用）を用いた場合は、８〜１６枚を重ねて底面１８に熱融着させるとよい。
【００２３】
ここで、上記光分析装置は、例えば図４に示す制御部６を備える。この制御部６には、上記光源５、光経路１６，１７の光学系を制御する光源・光学系制御部７、上記ステージ１３の移動を制御するステージ制御部８、上記液体供給装置１４を制御する液体供給制御部９、上記液浸対物レンズ１１の移動や焦点合わせを制御する対物レンズ制御部２８、及び中央制御部２９が設けられ、これら光源・光学系制御部７、ステージ制御部８、液体供給制御部９、対物レンズ制御部２８は、中央制御部２８を介して予め定められた蛍光分析運転手順（図５参照）に基づいて動作制御される。
【００２４】
次に、蛍光分析運転手順について、図５を参照して説明する。制御部６は、マイクロプレート１２がステージ１３にセットされると（ステップＳ２９）、中央制御部２９は、予め決められた位置にステージ１３を移動させるようにステージ制御部８に命令する。ステージ制御部８は、命令に従ってステージ１３を駆動させる（ステップＳ３０）。
【００２５】
測定開始前に、中央制御部２９は、液浸対物レンズ１１とマイクロプレート１２との間に液体を供給するように液体供給制御部９に命令する。すると、液体供給制御部９は、命令に従って液量調整装置２０を駆動し、液体調整装置２０が対物レンズ１１上に予め定められた量の液体を供給ノズル１９から吐出させる（ステップＳ３１）。
【００２６】
続いて、中央制御部２９は、液浸対物レンズ１１の移動および焦点合わせを行うように対物レンズ制御部２８に命令し、光源・光学系制御部７に光を供給するように命令する。対物レンズ制御部２８は命令に従って液浸対物レンズ１１をマイクロプレート１２の方向（紙面上向き）へ移動させる（ステップＳ３２）。ここで、光源・光学系制御部７が光源１にレーザー光を予め定められた時間供給するのと同時に、対物レンズ制御部２８は、焦点合わせ行う。そして、中央制御部２９は、データ処理を開始するようにデータ処理装置３に命令する。データ処理装置３は命令に従ってデータ処理を行う（ステップＳ３３）。
【００２７】
続いて、中央制御部２９は、次の測定位置にマイクロプレート１２を移動させるようにステージ制御部８に命令する。ステージ制御部８は、命令に従ってマイクロプレート１２を水平方向に移動させる（ステップＳ３４）。
【００２８】
再び、中央制御部２９は、液浸対物レンズ１１の焦点合わせを行うように対物レンズ制御部２８に命令し、対物レンズ制御部２８は、命令に従って焦点合わせを行う（ステップＳ３３）。マイクロプレート１２を水平方向に移動させて、予定された位置での測定が終了するまで、マイクロプレート１２の移動・焦点合わせおよび測定を繰り返す（ステップＳ３４，Ｓ３５）。
【００２９】
予定された位置での測定が終了すると、央制御部２９は、液浸対物レンズ１１上にクリーニング部２３が配置されるようにステージ制御部８に命令する。すると、ステージ制御部８は、命令に従ってステージ１３を駆動させる（ステップＳ３６）。このとき、液浸対物レンズ１１上の液体２６は、クリーニング部２３によって吸収され、液浸対物レンズ１１が清浄される。
【００３０】
次に、中央制御部２９は、液浸対物レンズ１１をマイクロプレート１２から遠ざけるように対物レンズ制御部２８に命令する。対物レンズ制御部２８は、命令に従って液浸対物レンズ１１をマイクロプレート１２から遠ざける（ステップＳ３７）。この後、オペレーターは、マイクロプレート１２を新たな分析用のマイクロプレート１２と交換し（ステップＳ３８）、清浄動作が終了されて新たな光分析が行われる。
【００３１】
上記光分析装置は、マイクロプレート１２を取り出さずに液浸対物レンズ１１上の液体２６が除去され、液浸対物レンズの汚れを防止できることにより、精度良く、連続した測定を行うことが可能となる。
【００３２】
また、これによれば、従来のようにオペレーターがレンズペーパーを使って清浄する場合よりも短い時間で容易に液浸対物レンズ１１を清浄できる。さらに、光分析装置中で、液浸対物レンズ１１がオペレーターの手が入らない場所に配置されている場合にも、容易に液浸対物レンズ１１を清浄でき、その設計を含む製作の自由度の向上を図ることが可能となる。
【００３３】
また、クリーニング部２３を任意の凹部２４の底面１８に設けておき、その凹部２４で通常の光分析を行うようにステージ１３と液浸対物レンズ１１を駆動させて、液浸対物レンズ１１を清浄するようにしてもよい。
【００３４】
また、複数のマイクロプレート１２について光分析を自動化して行う光分析装置では、液浸対物レンズ１１を清浄するための運転休止期間が短くなるので、効率よく光分析を行うことができる。
【００３５】
（第２の実施の形態）
図６は、本発明の第２の実施の形態に係る液浸対物レンズ用のクリーニングプレート４０を示すもので、同図（ａ）は、裏面から見た状態を示し、同図（ｂ）は、（ａ）のＢ―Ｂを断面して示す。
【００３６】
上記クリーニング専用のクリーニングプレート４０は、例えば上述したマイクロプレート１２で構成され、その底面１８の枠２５内の全面に前記クリーニング部２３を取り付けて構成したものである。
【００３７】
上記クリーニング専用のクリーニングプレート４０を用いた上述した光分析装置の液浸対物レンズ１１の清浄方法について図７を参照して説明する。
【００３８】
先ず、オペレーターは、液浸対物レンズ１１を清浄するために、光分析装置１０をクリーニングモードにし、クリーニングプレート４０をステージ１３にセットする（ステップＳ６９）。ここで、制御部６の中央制御部２９は、予め決められた位置にステージ１３を移動させるようにステージ制御部８に命令する。ステージ制御部８は、命令に従ってステージ１３を駆動させる（ステップＳ７０）。
【００３９】
続いて、中央制御部２９は、液浸対物レンズ１１の移動を行うように対物レンズ制御部２８に命令する。対物レンズ制御部２８は命令に従って液浸対物レンズ１１をクリーニングプレート４０の方向（紙面上向き）へ移動させ、液浸対物レンズ１１をクリーニング部２３に接触させる（ステップＳ７１）。このとき、液浸対物レンズ１１上の液体は、クリーニング部２３によって吸収され、液浸対物レンズ１１が清浄される。
【００４０】
続いて、中央制御部２９は、液浸対物レンズ１１をクリーニングプレート４０から遠ざけるように対物レンズ制御部２８に命令する。対物レンズ制御部２８は命令に従って液浸対物レンズ１１をクリーニングプレート４０から遠ざける（ステップＳ７２）。
【００４１】
次いで中央制御部２９は、クリーニングプレート４０の取り出し位置にステージ１３を移動させるようにステージ制御部８に命令する。ステージ制御部８は命令に従ってステージ１３を駆動させる（ステップＳ７３）。この後、オペレーターはクリーニングプレート４０をステージ１３から取り出し（ステップＳ７４）、清浄動作が終了される。
【００４２】
また、液浸対物レンズ１１をクリーニング部２３に接触させる（ステップＳ７１）前に、供給ノズル１９から洗浄液を供給してもよい。
【００４３】
クリーニングプレート４０を自動的にステージ１３に積載するプレート供給装置を用いる場合には、該クリーニングプレート４０を、試料の収容したマイクロプレート１２群と共に、図示しないト供給装置に装着してクリーニングプレート４０を使用するように構成してもよい。
【００４４】
また、クリーニング部２３は、図８に示すようなクリーニングシート８０をマイクロプレート１２に接着して形成してもよい。クリーニングシート８０は、実施例１で説明した水、油、紛などを吸着する材料８１に接着テープ８２を接合して作られている。オペレーターは接着テープ８２の剥離紙８３を剥がしマイクロプレート１２の底面１８に接着すれば、クリーニング用プレートをつくることができる。
【００４５】
本実施例によれば実施例１と同様の効果が得られると共に、マイクロプレートと同様にクリーニングプレート４０を光分析装置１０に投入する作業によって、液浸対物レンズ１１を清浄できるので、液浸対物レンズ１１の清浄を簡便に行うことができる。
【００４６】
上述した実施の各形態では、液浸対物レンズを用いた光分析装置の場合について説明したが、乾燥状態の対物レンズを用いる光分析装置の場合についてもクリーニング機能を持つマイクロプレートやクリーニングプレートを使用することができる。この場合、クリーニング部が対物レンズの表面に接して動くようにステージ１３を駆動すると、対物レンズ上の付着物をより吸着し易くなる。
【００４７】
（第３の実施の形態）
図９は、液浸対物レンズ清浄化機能付きマイクロプレート９０を示すもので、同図（ａ）は、裏面から見た状態を示し、同図（ｂ）は、（ａ）のＣ―Ｃを断面して示す。
【００４８】
マイクロプレート９０のプレート本体９２の凹部２４の一部、例えば一列にクリーニングプレート部９１を着脱自在に設ける。そして、このプレート部９１には、上述したクリーニング部２３を取付ける。
【００４９】
上記構成により、上記マイクロプレート９０は、そのクリーニングプレート部９１のクリーニング部２３が繰り返し清浄に供されて、その清浄能力が低下した場合、クリーニングプレート部分９１をプレート本体９２から離脱させ、新たなクリーニングプレート部９１をプレート本体９２に装着する。これにより、マイクロプレート９０は、そのプレート本体９２を再利用することができる。
【００５０】
また、上述した各実施例では、光分析装置にクリーニング機能を有するマイクロプレートを適用するように構成した場合で説明したが、これに限ることことなく、その他、液浸対物レンズを備える倒立型顕微鏡に適用することも可能で、同様の効果を期待することができる。
【００５１】
よって、この発明は、上記実施の形態に限ることなく、その他、実施段階ではその要旨を逸脱いない範囲で種々の変形を実施し得ることが可能である。さらに、上記実施形態には、種々の段階の発明が含まれており、開示される複数の構成要件における適宜な組合せにより種々の発明が抽出され得る。例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５２】
【発明の効果】
本発明のマイクロプレートによれば、対物レンズがクリーニング部材に接触するときに、対物レンズ上の付着物を除去することができる。液浸対物レンズに適用した場合にも、液浸対物レンズ上の液体が除去され、液浸対物レンズが汚れるのを防止できる。クリーニング部材が水、油などの液体や、紛などの固体を吸着するものであれば、対物レンズをより清浄化できる。
【００５３】
また、底面に対向する位置にクリーニング部材が設けられたウエルを観察位置になるようにマイクロプレートを移動させれば、対物レンズを清浄することができる。
【００５４】
また、クリーニング部材が設けられた部分を交換することによって、マイクロプレートの本体を再利用できる。
【００５５】
また、マイクロプレートと同様の外形を有するプレートの底面にクリーニング部材を設けたプレートを対物レンズのクリーニング専用プレートとして用いることができる。
【００５６】
また、本発明の分析装置によれば、マイクロプレートを取り出さずに対物レンズ上の付着物を除去できるので、精度良く測定を行うことができる。液浸対物レンズを用いる分析装置の場合も、マイクロプレートを取り出さずに液浸対物レンズ上の液体が除去され、対物レンズの汚れを防止できるので、精度良く観察を行うことができる。また、オペレーターがレンズペーパーを使って清浄する場合よりも短い時間で容易に対物レンズを清浄できる。特にマイクロプレートの供給を自動化した観察装置では、装置の運転を休止する時間が短くなるので、光分析を短時間で行うことができる。
【００５７】
また、本発明の分析装置によれば、マイクロプレートを取り出さずに対物レンズ上の付着物を除去できるので、精度良く測定を行うことができる。液浸対物レンズを用いる分析装置の場合も、マイクロプレートを取り出さずに液浸対物レンズ上の液体が除去され、対物レンズの汚れを防止できるので、精度良く観察を行うことができる。また、オペレーターがレンズペーパーを使って清浄する場合よりも短い時間で容易に対物レンズを清浄できる。特に光分析を自動化した観察装置では、装置の運転を休止する時間が短くなるので、光分析を短時間で行うことができる。
【００５８】
また、本発明の倒立型顕微鏡によれば、マイクロプレートを取り出さずに対物レンズ上の付着物を除去できるので、精度良く観察を行うことができる。液浸対物レンズを用いる倒立型顕微鏡の場合も、マイクロプレートを取り出さずに液浸対物レンズ上の液体が除去され、対物レンズの汚れを防止できるので、精度良く観察を行うことができる。また、オペレーターがレンズペーパーを使って清浄する場合よりも短い時間で容易に対物レンズを清浄できる。
【図面の簡単な説明】
【図１】この発明の一実施の形態に係る光分析装置の構成を示した図である。
【図２】図１の倒立型顕微鏡の要部を取り出して示した図である。
【図３】この発明の一実施の形態に係るマイクロプレートを示した図である。
【図４】図１の制御部を取り出して示した図である。
【図５】図１の清浄運転手順を示した図である。
【図６】この発明の第２の実施の形態に係るクリーニングプレートを取り出して示した図である。
【図７】図６の清浄運転手順を示した図である。
【図８】図６のクリーニング部を構成するクリーニングシートを示した図である。
【図９】この発明の第３の実施の形態に係るマイクロプレートを取り出して示した図である。
【符号の説明】
１…倒立型蛍光顕微鏡、２…光電気信号変換部、３…データ処理部、４…表示装置、５…光源、６…制御部、７…光源・光学系制御部、８…ステージ制御部、９…、１１…液浸対物レンズ、１２…マイクロプレート、１３…ステージ液体供給制御部、１４…液体供給装置、１５…ステージ駆動装置、１６，１７…光経路、１８…底面、１９…供給ノズル、２０…液量調整装置、２１…移動装置、２２…駆動制御装置、２３…クリーニング部、２４…ウエル、２５…枠、２６…液体、２７…、２８…対物レンズ制御部、２９…中央制御部、４０…クリーニングプレート、８０…クリーニングシート、８１…材料、８２…接着テープ、８３…剥離紙、９０…マイクロプレート、９１…クリーニングプレート部、９２…プレート本体。
【図１】
2004317661.tif 000003
【図２】
2004317661.tif 000004
【図３】
2004317661.tif 000005
【図４】
2004317661.tif 000006
【図５】
2004317661.tif 000007
【図６】
2004317661.tif 000008
【図７】
2004317661.tif 000009
【図８】
2004317661.tif 000010
【図９】
2004317661.tif 000011